(57)【要約】ネジ形成タップは、第一端部（６）に連結部分（８）を有し且つ第二端部（１０）にネジ形成部分（１２）を有する細長いボデー（４）を具備し、ネジ形成部分は、開口部の内壁を塑性変形させ雌ネジを形成するための少なくとも三つの突出部（３０）を含む非円形状の断面を有する少なくとも一つのネジ形成ネジ山部（１８）を具備する。本発明により、細長いボデー（４）の開放端部（３２）に、少なくとも一つの半径方向に延在する刃（３４）が、開口部の内壁の部分を切削するために提供される。
2004522606.tif 000002
【特許請求の範囲】
【請求項１】
第一端部（６）に連結部分（８）を有し且つ第二端部（１０）にネジ形成部分（１２）を有する細長いボデー（４）を具備するネジ形成タップであって、前記ネジ形成部分が、開口部の内壁を塑性変形し雌ネジを形成するための少なくとも三つの突出部（３０）を含む非円形状の断面を有する少なくとも一つのネジ形成ネジ山部（１８）を具備するネジ形成タップにおいて、
前記細長いボデー（４）の開放端部（３２）に、少なくとも一つの半径方向に延在する刃（３４）が、前記開口部の前記内壁の部分を切削するために提供されることを特徴とする、ネジ形成タップ。
【請求項２】
前記刃（３４）は、前記細長いボデー（４）の中心軸線（Ａ−Ａ）から実質的に延在する、請求項１に記載のネジ形成タップ。
【請求項３】
ネジ逃げ部分（１４）は、前記ネジ形成部分（１２）と前記開放端部（３２）との間に提供され、前記ネジ逃げ部分（１４）は、前記開口部から前記タップを取り去ることを可能にするために、実質的に円筒形状を有し且つ螺旋状の溝部（２４）により分離される切断された山部を有するネジ部（２２）を備える、請求項１または請求項２に記載のネジ形成タップ。
【請求項４】
前記前記切断された山部（２２）は前記ネジ形成ネジ山部（１８）の最大直径よりも小さな直径を有し、前記溝部（２４）は前記切削された山部（２２）の直径よりも僅かに小さな直径を有する、請求項３に記載のネジ形成タップ。
【請求項５】
前記ネジ形成部分（１２）の前記ネジ形成ネジ山部（１８）の直径は、前記ネジ逃げ部分の前記切断された山部のレベルから増加する、請求項４に記載のネジ形成タップ。
【請求項６】
前記細長いボデー（４）の中心軸線（Ａ−Ａ）から実質的に半径方向へ延在する少なくとも一つのフランク部分（２８）は、実質的に前記ネジ形成部分（１２）を通して前記細長いボデーの長手方向において延在するフルート部（２６）を形成し、前記ネジ形成ネジ山部（１８）は不連続なネジ山部に分けられる、請求項１から請求項５のいずれか一つの請求項に記載のネジ山成形タップ。
【請求項７】
前記フルート部（２６）は実質的に直線状である、請求項６に記載のネジ形成タップ。
【請求項８】
前記フルート部（２６）は、前記細長いボデー（４）の周囲まわりに螺旋に形成される、請求項６に記載のネジ形成タップ。
【発明の詳細な説明】
【技術分野】
【０００１】
本発明は、第一端部に連結部分を有し且つ第二端部にネジ形成部分を有する細長いボデー（本体）を具備するネジ形成タップであって、ネジ形成部分が、開口部の内壁を塑性変形し雌ネジを形成するための少なくとも三つの突出部を含む非円形状断面を有する少なくとも一つのネジ形成ネジ山部を有するネジ形成タップに関する。
【背景技術】
【０００２】
このようなネジ形成タップは、欧州特許出願公開第７６７０２４号明細書により知られている。しかしながら、この種のタップは、円筒状の穴部以外の開口部に対してはほとんど使用できないという欠点がある。
【発明の開示】
【発明が解決しようとする課題】
【０００３】
本発明の目的は、改良されたネジ形成タップを実現することである。
【課題を解決するための手段】
【０００４】
この目的は、細長いボデーの開放端部に、開口部の内壁部分を切削するために半径方向に延在する少なくとも一つの刃が提供される、冒頭に述べられた種のタップにより達成される。
【０００５】
これにより、ネジ形成に適した形状に開口部を予備形成するネジ形成タップが実現され、より良好なネジ山を形成するための状態が実現されることにより、タップの使用寿命を伸ばす。
【０００６】
好ましくは、刃は細長いボデーの中心軸線から実質的に延在する。これにより、例えば円錐状の止まり穴の有効な加工を実現する。
【０００７】
ネジ逃げ部分は、ネジ形成部分と開放端部との間で適当に提供され、開口部からタップを取り去ることを可能にするために、実質的に円筒形状を有し且つ螺旋状の溝部により分離される切断された山部を有するネジ部を備える。これにより、ネジ形成後にタップを簡単に取り去ることが可能とされる。
【０００８】
好ましくは、切断された山部はネジ形成ネジ山部の最大直径よりも小さい直径を有し、溝部は切断された山部の直径よりも僅かに小さい直径を有する。
【０００９】
ネジ形成部分のネジ山部の直径は、逃げ部分の切断された山部のレベルから好都合に増加する。よって、ネジ形成が可能となる。
【００１０】
ボデーの軸線から実質的に半径方向に延在する少なくとも一つのフランク部分は、ネジ形成部分を通してボデーの長手方向において実質的に延在するフルート部（溝部）を適当に形成し、よって、ネジ形成ネジ山部は、不連続なネジ山部に分けられる。これによって、切り屑を除去し冷却液を供給することが可能とされる。
【００１１】
特に、フルート部は実質的に直線状である。代替として、フルート部はボデーの周囲まわりに螺旋状に形成される。
【００１２】
以下に、図面を参照して、より詳細に本発明を説明する。
【発明を実施するための最良の形態】
【００１３】
図１は、軸線Ａ−Ａを有する細長いボデー４を具備するネジ形成タップ２を示す。細長いボデー４は、第一端部６に連結部分８を有し且つ第二端部１０にネジ形成部分１２とネジ逃げ部分１４とを有する。好ましくは、タップ２は高速度鋼または超硬材料（ｓｏｌｉｄ  ｃａｒｂｉｄｅ  ｍａｔｅｒｉａｌ）で作られる。連結部分８は、ボール盤またはフライス盤の工具ホルダーに連結されるように適合される。
【００１４】
ネジ形成部分は、螺旋状の溝部２０により分離される山部１８を備えるネジ形成ネジ部を有する。ネジ山部１８の直径は、逃げ部分１４から第二端部８の方へ向い増加し、数ピッチ後に直径は一定になる（しかし、以下に示すように円形状ではない）。
【００１５】
ネジ逃げ部分１４は、螺旋状の溝部２４により分離される切断された山部２２を有する螺旋状のネジ部を備える。切断された山部２２は、ネジ形成ネジ山部１８の最大直径よりも小さい直径を有し、溝部２４は、切断された山部２２の直径よりも僅かに小さい直径を有する。ネジ逃げ部分１４のネジ山部２２および溝部２４のピッチは、ネジ形成部分１２のピッチと同様である。ネジ形成作業が実行された後、ネジ形成部分はタップを開口部から取り去ることを可能にする。
【００１６】
ネジ山部１８および２２は、（図２にも示されている）４つのフルート部２６によりボデー４の長手方向において分離される。フルート部２６は４つのフランク部分２８により形成される。各フランク部分２８の周囲にネジ山部１８および２２はそれぞれ配置される（図２においては、ネジ形成部分１２のフランク部分のみが示されている）。このフルート部２６の目的は、冷却液の供給を可能とすることと切り屑の除去を可能にすることである。
【００１７】
四つのフルート部２６は、ネジ山部１８をネジ山の断片に分離し、ネジ山の断片は不連続の、または、実質上のネジ山を形成する。ネジ山部２２に関しても同様である。
【００１８】
ネジ逃げ部分のネジ山部１８は、（図２に示すように）非円形状である。その代わりに、各フランク部は先の尖ったネジ山部分を備え、その各々は、穴部の内壁を塑性変形し雌ネジを形成するための突出部３０を形成する。
【００１９】
図３ａから図３ｃに最もよく示されているように、第一端部１０は、その開放端部３２に、非円筒状の穴部を切削するための半径方向に延在する四つの切り刃３４を備える。鋳造止まり穴は通常円筒状でなく、鋳造工程の故に僅かに円錐状とされる。切り刃３４は、非円筒状の穴部を円筒形状に加工するために利用される。
【００２０】
図４においては、代替のタップ４が示されており、フルート部２６が直線状ではなく幾らか螺旋状にされていることが相違する。
【００２１】
ネジ部は、例えば型成形金属部品におけるような、特に不規則な非円筒形状の通り穴部または止まり穴部のそれぞれに形成される。
【００２２】
タップ２は、（図示されていない）壁により形成された穴部に移動される。タップ２が穴部内へ案内される間において、タップは回転され、切れ刃３４は穴部を切削し予定された円筒形状に穴部を形成する。溝部１８が穴部に入り、突出部３０は、壁の材料が塑性変形され溝部２０内に流れるように高圧力で壁部の材料を圧する。冷却液はフルート部２６を介して案内される。
【００２３】
ネジ形成作業が終了すると、タップは反対方向に回転される。ネジ逃げ部分１４は、穴部からのタップの抜き取りを容易にする。
【００２４】
もちろん、フランク部２８およびフルート部２６の数量は、例えば三つのような四つよりも少なくてもよく、例えば八つのような四つよりも多くてもよい。
【００２５】
さらに、フランク部２８およびフルート部２６は螺旋形状でもよい。
【００２６】
さらに、ネジ山部の数量は一つよりも多くてもよく、すなわち一対の平行なネジ山部が提供されてもよい。
【００２７】
さらに、図１においては、ネジ逃げ部分の形状は円筒形状のように示されている。しかし、その代わりとしてネジ逃げ部分の形状は僅かに円錐状で、円錐の最も大きな部分がボデー４の開放端部３２であってもよい。
【００２８】
さらに、切り刃の数量は、例えば一つのような四つよりも少なくてもよく、または、例えば１０ヶのような四つよりも多くてもよい。しかし、切り刃とフランク部との数量を同一に配置することが有利である。
【図面の簡単な説明】
【００２９】
【図１】ネジ形成タップの概観図である。
【図２】図１の線II−IIに沿った断面図である。
【図３ａ】図１に示されたタップの斜視図である。
【図３ｂ】図３ａに示された円内の部分の拡大図である。
【図３ｃ】図１に示されたタップの正面図である。
【図４】代替のネジ形成タップの概観図である。
【国際公開パンフレット】
2004522606.tif 000003
2004522606.tif 000004
2004522606.tif 000005
2004522606.tif 000006
2004522606.tif 000007
2004522606.tif 000008
2004522606.tif 000009
2004522606.tif 000010
2004522606.tif 000011
2004522606.tif 000012
2004522606.tif 000013
2004522606.tif 000014
2004522606.tif 000015
【手続補正書】
【提出日】平成15年11月21日(2003.11.21)
【手続補正１】
【補正対象書類名】特許請求の範囲
【補正対象項目名】全文
【補正方法】変更
【補正の内容】
【特許請求の範囲】
【請求項１】
第一端部（６）に連結部分（８）を有し且つ第二端部（１０）にネジ形成部分（１２）を有する細長いボデー（４）を具備するネジ形成タップであって、前記ネジ形成部分が、開口部の内壁を塑性変形し雌ネジを形成するための少なくとも三つの突出部（３０）を含む断面を有する少なくとも一つのネジ形成ネジ山部（１８）を具備するネジ形成タップにおいて、
前記細長いボデー（４）の開放端部（３２）に、少なくとも一つの半径方向に延在する刃（３４）が、前記開口部の前記内壁の部分を切削するために提供され、
ネジ逃げ部分（１４）が、前記ネジ形成部分（１２）と前記開放端部（３２）との間に提供され、前記ネジ逃げ部分（１４）は、前記開口部から前記タップを取り去ることを可能にするために、実質的に円筒形状を有し且つ螺旋状の溝部（２４）により分離される切断された山部を有するネジ部（２２）を備えることを特徴とする、ネジ形成タップ。
【請求項２】
前記刃（３４）は、前記細長いボデー（４）の中心軸線（Ａ−Ａ）から実質的に延在する、請求項１に記載のネジ形成タップ。
【請求項３】
前記前記切断された山部（２２）は前記ネジ形成ネジ山部（１８）の最大直径よりも小さな直径を有し、前記溝部（２４）は前記切削された山部（２２）の直径よりも僅かに小さな直径を有する、請求項２に記載のネジ形成タップ。
【請求項４】
前記ネジ形成部分（１２）の前記ネジ形成ネジ山部（１８）の直径は、前記ネジ逃げ部分の前記切断された山部のレベルから増加する、請求項３に記載のネジ形成タップ。
【請求項５】
前記細長いボデー（４）の中心軸線（Ａ−Ａ）から実質的に半径方向へ延在する少なくとも一つのフランク部分（２８）は、実質的に前記ネジ形成部分（１２）を通して前記細長いボデーの長手方向において延在するフルート部（２６）を形成し、前記ネジ形成ネジ山部（１８）は不連続なネジ山部に分けられる、請求項１から請求項４のいずれか一つの請求項に記載のネジ山成形タップ。
【請求項６】
前記フルート部（２６）は実質的に直線状である、請求項５に記載のネジ形成タップ。
【請求項７】
前記フルート部（２６）は、前記細長いボデー（４）の周囲まわりに螺旋に形成される、請求項５に記載のネジ形成タップ。
【手続補正２】
【補正対象書類名】図面
【補正対象項目名】図３ｃ
【補正方法】変更
【補正の内容】
【図３ｃ】
2004522606.tif 000016
【国際調査報告】
2004522606.tif 000017
2004522606.tif 000018
2004522606.tif 000019